(57)【要約】【課題】無駄な消耗を生じさせることなく、尖った部分が確保できるようになる消しゴムの提供。【解決手段】硬度の高い樹脂素材からなる硬質部３よりも、硬度の低い樹脂素材からなる軟質部２の方が速く摩耗するので、使用に伴い、外側の軟質部２は容易に摩耗する一方、内側の硬質部３が簡単には摩耗せず、軟質部２が無くなっても、硬質部３が遅く摩耗して残り、これにより、消しゴム１の先端部分1Aは、使用によって、先端角部2Dが摩耗すると、尖った状態となり、しかも、その後も、内側の遅く摩耗する硬質部３が残って、尖った状態が維持されるようになる。従って、消しゴム１の無駄な消耗を生じさせることなく、消しゴム１に尖った部分を確保することができる。【選択図】    図２
2014223755.tif 000002
【特許請求の範囲】
【請求項１】
硬度の異なる樹脂素材が組み合わされた消しゴムであって、
硬度の低い樹脂素材からなる軟質部の内側に、硬度の高い樹脂素材からなる硬質部が設けられ、
前記硬質部の端面が外部に露出していることを特徴とする消しゴム。
【請求項２】
一文字状の断面形状を有する前記硬質部が前記軟質部の間に挟み込まれていることを特徴とする請求項１記載の消しゴム。
【請求項３】
放射状の断面形状を有する前記硬質部の周囲を前記軟質部が取り囲んでいることを特徴とする請求項１記載の消しゴム。
【請求項４】
前記硬質部として、互いに硬度の異なる第1硬質部及び第2硬質部が設けられ、前記第2硬質部よりも硬度が高い前記第1硬質部が、前記第2硬質部の内側に配置されていることを特徴とする請求項１から請求項３までのいずれかに記載の消しゴム。
【発明の詳細な説明】
【技術分野】
【０００１】
本発明は、硬度の異なる樹脂素材が組み合わされた消しゴムに関する。
【背景技術】
【０００２】
従来、直方体状に形成された消しゴムが多用されてきた。このような直方体状の消しゴムによれば、紙面に記された文字等を消すにあたり、その角部を用いれば、小さな力で効果的に消すことができるとともに、細かい部分を消すこともできる。
【０００３】
直方体状の消しゴムでは、使用によって、すべての角部が摩耗してしまうと、消すのに大きな力が必要となるうえ、細かい部分を消すことができなくなる。
そこで、所定形状の立体を複数組み合わせて、それぞれの立体が外方に突出した角を有する形状をなすようにすることにより、直方体状の消しゴムよりも、角の数を増やすことができる消しゴムが知られている（例えば、特許文献１参照）。
このような消しゴムでは、消しゴムの端部に設けられたすべての角部が丸まってしまった際に、端部の立体を切り離せば、これにより、残りの立体の新たな角部を使用することができる、という効果を奏することができる。
【０００４】
また、本出願人は、全体が円柱棒状に形成され、径方向の外側を構成する樹脂素材よりも、径方向の外側を構成する樹脂素材の剛性を高くし、細くしても折れにくくした消しゴムを提案している（特許文献２参照）。
また、このような消しゴムによれば、内側の樹脂素材の界面に、当該界面を一周する多数の溝を、所定の間隔毎に設け、これらの溝の部分で消しゴムの先端部分を容易に切り離せるようにし、角部の摩耗により、先端が丸まってしまった際に、溝の部分で消しゴムの先端部分を切り離せば、新たな角部を速やかに生成できるので、消しゴムの消す機能を維持することができる、という効果を奏することもできる。
【先行技術文献】
【特許文献】
【０００５】
【特許文献１】特開２００４−３４６２４号公報
【特許文献２】特開２０１１−１７３３３９号公報
【発明の概要】
【発明が解決しようとする課題】
【０００６】
従来の消しゴムでは、角部が丸まってしまう毎に、消しゴムの一部分が切り離されて破棄されるので、尖った部分を確保するために、一部分が無駄に消耗されてしまう、という問題がある。
【０００７】
そこで、本発明は、上記した従来の技術の有する問題点に鑑みてなされたものであり、その目的とするところは、無駄な消耗を生じさせることなく、尖った部分が確保できるようになる消しゴムを提供することにある。
【課題を解決するための手段】
【０００８】
本発明は、上記した目的を達成するためになされたものであり、本発明の特徴点を図面に示した発明の実施の形態を用いて、以下に説明する。
なお、符号は、発明の実施の形態において用いた符号を示し、本発明の技術的範囲を限定するものではない。
【０００９】
（第１発明）
（特徴点）
本発明の第１発明は、次の点を特徴とする。
すなわち、本第１発明は、硬度の異なる樹脂素材が組み合わされた消しゴムであって、硬度の低い樹脂素材からなる軟質部(２, 12)の内側に、硬度の高い樹脂素材からなる硬質部(３,13,23)が設けられ、前記硬質部(３,13,23)の端面(3A,3B,13A,13B) が外部に露出していることを特徴とする。
【００１０】
（第２発明）
（特徴点）
本発明の第２の発明は、前述した第１発明の特徴に加え、次の点を特徴とする。
すなわち、本第２発明は、一文字状の断面形状を有する硬質部(３)が軟質部(２)の間に挟み込まれていることを特徴とする。
【００１１】
（第３発明）
（特徴点）
本発明の第３の発明は、前述した第１発明の特徴に加え、次の点を特徴とする。
すなわち、本第３発明は、放射状の断面形状を有する硬質部(13, 23)の周囲を軟質部(12)が取り囲んでいることを特徴とする。
【００１２】
（第４発明）
（特徴点）
本発明の第４の発明は、前述した第１発明から第３発明までのいずれか発明の特徴に加え、次の点を特徴とする。
すなわち、本第４発明は、前記硬質部(53)として、互いに硬度の異なる第１硬質部(51)及び第２硬質部(52)が設けられ、前記第２硬質部(52)よりも硬度が高い前記第１硬質部(51)が、前記第２硬質部(52)の内側に配置されていることを特徴とする。
【発明の効果】
【００１３】
（第１発明の効果）
以上のように構成されている本発明は、以下に記載されるような効果を奏する。
すなわち、第１発明によれば、硬度の高い樹脂素材からなる硬質部よりも、硬度の低い樹脂素材からなる軟質部の方が速く摩耗するので、使用に伴い、外側の軟質部は容易に摩耗する一方、内側の硬質部が簡単には摩耗せず、軟質部が無くなっても、硬質部が遅く摩耗して残り、これにより、消しゴムの先端は、使用によって、先端角部が摩耗すると、尖った状態となる。換言すると、硬質部と軟質部との硬度差により、摩耗の度合いが異なるため、意識して尖らせなくとも、自動的に尖った形状となる。しかも、一旦、尖った先端部分は、内側の遅く摩耗する硬質部が残って、尖った状態が維持されるようになる。従って、無駄な消耗を生じさせることなく、消しゴムに尖った部分を確保することができ、これにより、前記目的が達成される。
なお、本出願人は、本発明に含まれない態様の消しゴムについても試作を行い、実際に使用してみる実験も行った。その結果、硬質部の全周囲を軟質部で被覆し、硬質部が外周面に露出していない態様の消しゴムでは、使用時に軟質部を摩耗させて、硬質部を露出させようとしても、摩耗か硬質部まで到達するのに時間がかかるうえ、外側の軟質部が無秩序に摩耗するので、目的とする先端が尖った形状にするのが難しく、あるいは、同形状にするのに時間がかかることが判明した。
【００１４】
（第２発明の効果）
本願の第２発明によれば、前記第１の発明の効果に加え、以下に記載されるような効果を奏する。
すなわち、第２発明によれば、硬質部の両側に配置されている軟質部が先に摩耗するので、消しゴムの先端は、使用によって、先端角部が摩耗すると、先の尖った三角屋根状となり、先端部分の摩耗が続いても、この尖った三角屋根状が維持されるようになるので、消しゴムとして使い勝手の良好な状態を長く維持することができる。
【００１５】
（第３発明の効果）
本願の第３発明によれば、前記第１の発明の効果に加え、以下に記載されるような効果を奏する。
すなわち、第３発明によれば、硬質部の周囲を取り囲む軟質部が先に摩耗するので、消しゴムの先端は、使用によって、先端角部が摩耗すると、先の尖った角錐状となり、先端部分の摩耗が続いても、この尖った角錐状が長く維持されるようになるので、消しゴムとして使い勝手の良好な状態を長く維持することができる。
【００１６】
（第４発明の効果）
本願の第４発明によれば、前記第１の発明の効果に加え、以下に記載されるような効果を奏する。
すなわち、第４発明によれば、軟質部の内側に第1硬質部及び第2硬質部が設けられ、さらに、第2硬質部よりも硬度が高い第1硬質部が、第2硬質部の内側に配置されるので、内側ほど硬度が高くなる。このため、消しゴムの先端は、内側が減りにくく、外側が容易に減るようになり、従って、使用によって、容易に尖った形状にすることができるうえ、尖った形状が長く維持されるようになるので、消しゴムとして使い勝手の良好な状態を長く維持することができる。
【図面の簡単な説明】
【００１７】
【図１】本発明の第１実施形態に係る消しゴム全体を示す斜視図である。
【図２】前記実施形態の作用を説明するための断面図である。
【図３】本発明の第２実施形態に係る消しゴムの一部分を示す斜視図である。
【図４】本発明の変形例を示す断面図である。
【図５】本発明の異なる変形例を示す断面図である。
【図６】本発明のさらに異なる変形例を示す断面図である。
【図７】本発明に係る断面四角形の変形例を示す断面図である。
【図８】本発明に係る硬質部の変形例を示す断面図である。
【発明を実施するための形態】
【００１８】
以下に、本発明を実施するための形態である実施形態について、図面を参照しながら説明する。
（第１実施形態）
本発明の第１実施形態に係る消しゴム１は、図１に示すように、直方体状に形成され、その最長となる四つ辺が図１中の上下方向に延びたものとなっている。
また、この消しゴム１には、硬度が互いに異なる樹脂素材からなる軟質部２及び硬質部３が設けられている。
【００１９】
軟質部２は、硬度の低い樹脂素材が短冊状の平板に形成され、これにより、一文字状の断面形状を有するものとなっている。
硬質部３は、硬度の高い樹脂素材が軟質部２と同様の形状に形成されたものである。すなわち、硬質部３は、硬度の高い樹脂素材が短冊状の平板に形成され、これにより、一文字状の断面形状を有するものとなっている。
【００２０】
そして、消しゴム１は、硬質部３の表側及び裏側の両面に、それぞれ硬質部３の表面が密着した状態で一体化されたものとなっている。換言すると、硬質部３は、二つの軟質部２の間に挟み込まれた状態で、軟質部２に一体化されている。
また、消しゴム１の最長となる四つ辺は、軟質部２の角隅部2Aによって形成されたものとなっている。これにより、消しゴム１は、文字等を消す際に、軟質部２の角隅部2Aが接触して擦られるようになり、軟質部２の摩耗がより速く進むようになっている。
【００２１】
ここで、硬質部３は、消しゴム１の短辺に沿った端面3A、及び、消しゴム１の長辺に沿った端面3Bが外部に露出している。また、硬質部３の端面3A, 3Bは、軟質部２の消しゴム１の短辺に沿った端面2B、及び、消しゴム１の長辺に沿った端面2Cとともに、縞模様を消しゴム１の側面に形成している。
【００２２】
以上のような消しゴム１の素材は、体質材、基材樹脂、可塑剤、及び、添加剤を含んで構成されたものが採用されている。
ここで、体質材としては、炭酸カルシウム、タルク、マイカ、セリサイト及びカオリンクレー等が採用できる。
基材樹脂としては、スチレン系エラストマーや、ポリ塩化ビニール等のゴム素材が採用できる。
可塑剤としては、フタル酸エステル系、安息香酸系、及び、アジピン酸エステル系等の可塑剤が採用できる。
添加剤としては、安定剤、界面活性剤、及び、消泡剤等が採用でき、これらに加えて、研磨剤やマイクロバルーン等を添加してもよい。
【００２３】
また、軟質部２及び硬質部３としては、ショアＡ硬度が５０〜８０の範囲にある材質のなかから適宜選択することができる。
ここで、軟質部２及び硬質部３の硬度を調節する手法としては、可塑剤の種類や量を変える、基材樹脂の量を変える、研磨財やマイクロバルーン等の添加剤の添加量を増量して摩耗しやすくする、体質材の粒径や形状を変える等の手法が採用できる。
【００２４】
このような本実施形態では、硬質部３の両側に配置されている軟質部２が、硬質部３よりも先に摩耗するので、消しゴム１を使用していくと、消しゴム１の先端部分1Aは、使用による先端角部2Dの速い摩耗によって、先の尖った三角屋根状となる。この状態からさらに使用していくと、図２に示すように、硬質部３の尖った先端部分が露出し、硬質部３の頭が軟質部２の端部から突出した形態となる。従って、消しゴム１は、一旦、先端部部分1Aが尖ると、この後、さらに先端部分1Aの摩耗が続いても、摩耗の度合いが相違する硬質部３及び軟質部２の組み合わせによって、先端部分1Aの尖った状態が維持されるようになっている。
【００２５】
（第１実施形態の効果）
前述のような本実施形態によれば、次のような効果が得られる。
すなわち、硬度の高い樹脂素材からなる硬質部３よりも、硬度の低い樹脂素材からなる軟質部２の方が速く摩耗するので、使用に伴い、外側の軟質部２は容易に摩耗する一方、内側の硬質部３が簡単には摩耗せず、軟質部２が無くなっても、硬質部３が遅く摩耗して残り、これにより、消しゴム１の先端部分1Aは、使用によって、先端角部2Dが摩耗すると、尖った状態となり、しかも、内側の遅く摩耗する硬質部３が残って、尖った状態が維持されるようになる。従って、消しゴム１の無駄な消耗を生じさせることなく、消しゴム１に尖った部分を確保することができる。
【００２６】
また、硬質部３の両側に配置されている軟質部２が先に摩耗するので、消しゴム１の先端部分1Aは、使用によって、先端角部2Dが摩耗すると、先の尖った三角屋根状となり、その後も、この尖った三角屋根状が長く維持されるようになるので、消しゴム１として使い勝手の良好な状態を長く維持することができる。
【００２７】
（第２実施形態）
図３には、本発明の第２実施形態に係る消しゴム10が示されている。
本第２実施形態は、前記第１実施形態における一文字状の断面形状を有する硬質部３を、放射状の断面形状を有する硬質部13としたものである。
【００２８】
図３において、消しゴム10は、図３中の上下方向に延びる長辺を有する細長い直方体状に形成されたものである。換言すると、消しゴム10の最長となる四つ辺は、図３中の上下方向に延びたものとなっている。
この消しゴム10には、前記実施形態の消しゴム１と同様に、硬度の低い樹脂素材からなる軟質部12と、硬度の高い樹脂素材からなる硬質部13とが設けられている。
【００２９】
このうち、硬質部13は、放射状の断面形状、具体的には、十字形状の断面形状を有するものである。硬質部13の周囲には、細長い四角柱状に形成された四つの軟質部12が配置されている。
ここにおいて、軟質部12は、硬質部13の周囲に、当該硬質部13を取り囲むように配置されている。これにより、硬質部13は、軟質部12の内側に設けられている。
そして、硬質部13の十字形の端面13A は、消しゴム10の長手方向の端面において、軟質部12の正方形状に形成された端面12A の間から外部に露出している。
また、硬質部13の帯状に延びる端面13B は、消しゴム10の長手方向に沿った側面において、軟質部12の帯状に延びる側面12B の間から外部に露出している。
【００３０】
消しゴム10の長手方向に延びる四つ長辺は、軟質部12の角隅部12C によって形成されたものとなっている。
これにより、消しゴム10は、文字等を消す際に、軟質部12の角部12D が接触して擦られるようになり、軟質部12の摩耗がより速く進むようになっている。そして、消しゴム10は、使用によって、先端の角部12D の摩耗速度が速くなり、先端部分が摩耗によって尖った四角錐状となるように構成されている。
以上のような本第２実施形態によっても、前記第１実施形態と同様の作用・効果を奏することができる。
【００３１】
なお、本発明は、前記実施形態に限定されるものではなく、本発明の目的を達成できる範囲における変形及び改良などをも含むものである。
例えば、消しゴムとしては、全体の形状が四角柱状に形成されたものに限らず、図４に示すように、全体の形状が三角柱状に形成された消しゴム20でもよい。
ここで、三角柱状に形成された消しゴム20を採用する場合、硬質部としては、図４の如く、Ｙ字形状の断面形状を有する硬質部23が採用できる。
【００３２】
また、消しゴムとしては、図５及び図６に示すように、全体の形状が円柱状に形成された消しゴム30も採用できる。
このような円柱状に形成された消しゴム30を採用する場合、硬質部としては、図５の如く、十字形状の断面形状を有する硬質部13、及び、図６に示すように、Ｙ字形状の断面形状を有する硬質部23等の放射状の断面形状を有する硬質部を採用するのが好ましい。
さらに、長方形状の断面を有する消しゴムとしては、図７に示すように、断面の長方形に内接する菱形状の断面を有する硬質部43を有する消しゴム40でもよい。硬質部43の断面形状は、正確には、菱形状の角が面取りされて、幅の狭い端面43A を有する八角形状となっている。そして、端面43A は、消しゴム40の側面41から露出し、側面41における一筋の縞となっている。
また、硬質部としては、所定の硬度を有する一の樹脂素材からなるものに限らず、図８に示すように、互いに硬度の異なる第1硬質部51及び第2硬質部52を備えた硬質部53でもよい。この場合、第2硬質部52よりも硬度が高い第1硬質部51を、第2硬質部52の内側に配置するのが好ましい。
さらに、消しゴムとしては、前記実施形態における消しゴム１の如く、細長い形状のもの限らず、平べったい形状の消しゴムでもよいが、使用により摩耗すると、先端部分が尖ってくることから、細長くした方が使い勝手が良くなる。
【符号の説明】
【００３３】
1    消しゴム
1A   先端部分
2    軟質部
2A   角隅部
2B   端面
2C   端面
2D   先端角部
3    硬質部
3A   端面
3B   端面
10    消しゴム
12    軟質部
12A   端面
12B   側面
12C   角隅部
12D   角部
13    硬質部
13A   端面
13B   端面
20    消しゴム
23    硬質部
30    消しゴム
40    消しゴム
41    側面
43    硬質部
43A   消しゴム
51    第1硬質部
52    第2硬質部
53    硬質部
【図１】
2014223755.tif 000003
【図２】
2014223755.tif 000004
【図３】
2014223755.tif 000005
【図４】
2014223755.tif 000006
【図５】
2014223755.tif 000007
【図６】
2014223755.tif 000008
【図７】
2014223755.tif 000009
【図８】
2014223755.tif 000010